(57)【要約】【課題】ＷＰＣ処理によりディンプルを形成した部品に摺接する部品の摩耗を抑制する。【解決手段】縫い針に通された上糸を捕捉するルーパ１０が取り付けられ、所定方向に往復運動するルーパ抱き１３と、ルーパ抱き１３が所定方向に摺動可能に挿通され、所定方向に略直交する方向に延びる軸線周りに揺動するルーパ抱きガイド１４と、ルーパ抱きガイド１４を揺動可能に摺接保持するルーパ抱きガイド保持部１５と、を備えるミシンのルーパ機構１において、ルーパ抱きガイド１４は、ＷＰＣ処理によりルーパ抱き１３との摺接面にディンプル１４ｄが形成された後に焼き戻し処理が施されてなる。【選択図】図１
2006304842.tif 000002
【特許請求の範囲】
【請求項１】
第１の機械要素と第２の機械要素を備え、前記第１の機械要素と前記第２の機械要素の相対的動作に伴い、前記第１の機械要素と前記第２の機械要素の動作表面が互いに摺接する摺動機構において、
一方の機械要素は、他方の機械要素との摺接面にＷＰＣ処理によりディンプルが形成された後に焼き戻し処理が施されてなることを特徴とする摺動機構。
【請求項２】
縫い針に通された上糸を捕捉するルーパが取り付けられ、所定方向に往復運動するルーパ抱きと、前記ルーパ抱きが前記所定方向に摺動可能に挿通され、前記所定方向に略直交する方向に延びる軸線周りに揺動するルーパ抱きガイドと、を備えるミシンのルーパ機構において、
前記ルーパ抱きガイドは、ＷＰＣ処理により前記ルーパ抱きとの摺接面にディンプルが形成された後に焼き戻し処理が施されてなることを特徴とするミシンのルーパ機構。
【請求項３】
前記ルーパ抱きガイドを揺動可能に摺接保持するルーパ抱きガイド保持部を備え、
前記ルーパ抱きガイドは、ＷＰＣ処理により前記ルーパ抱きガイド保持部との摺接面にディンプルが形成された後に焼き戻し処理が施されてなることを特徴とする請求項２に記載のミシンのルーパ機構。
【請求項４】
縫い針を保持し、ミシンモータの駆動力により上下動する針棒と、前記針棒の上方で当該針棒を上下動可能に摺接保持する上保持部と、を備えるミシンの針棒駆動機構において、
前記上保持部は、ＷＰＣ処理により前記針棒との摺接面にディンプルが形成された後に焼き戻し処理が施されてなることを特徴とするミシンの針棒駆動機構。
【請求項５】
前記針棒の下方で当該針棒を上下動可能に摺接保持する下保持部を備え、
前記下保持部は、ＷＰＣ処理により前記針棒との摺接面にディンプルが形成された後に焼き戻し処理が施されてなることを特徴とする請求項４に記載のミシンの針棒駆動機構。
【発明の詳細な説明】
【技術分野】
【０００１】
本発明は、摺動機構、摺動機構を用いたミシンのルーパ機構及びミシンの針棒駆動機構に関する。
【背景技術】
【０００２】
従来、環縫いロックミシン等においては、部品同士が高速で摺動する上ルーパ機構や針棒駆動機構等がある。例えば、上ルーパ機構においては、上ルーパは軸状に形成された上ルーパ抱きにより保持されており、上ルーパ抱きは円柱状に形成された上ルーパ抱きガイドにより軸方向に摺動可能に保持され、上ルーパ抱きガイドは上ルーパ抱きガイド支えにより円周方向に摺動可能に保持されている。
これらの部品は、一般に金属材料で形成されており、摺接面のフレッチング摩耗や焼き付きを防止するため、摺接面には給油機構により給油がなされているが、給油機構を設けると油の飛散により縫製物を汚してしまうという問題があることから、近年では潤滑にグリースを用いる無給油化が望まれている。
無給油化を実現するため、部品（上ルーパ抱きや上ルーパ抱きガイド）の摺接面にコーティング処理（ＴｉＮ、ＤＬＣ等のセラミック皮膜や、潤滑用の硫化モリブデン、テフロン（登録商標）コーティング皮膜）をする技術が提案されている（例えば、特許文献１参照。）。また、上ルーパ抱きガイドの摺接面にＷＰＣ処理等によりディンプルを形成し、このディンプルにグリースが溜まることにより無給油環境下における潤滑を向上させる方法も採用されている（例えば、特許文献２参照。）。
【特許文献１】特許第２８４６３０４号公報
【特許文献２】特開平９−３８３６８号公報
【発明の開示】
【発明が解決しようとする課題】
【０００３】
しかし、一方の部品の表面にディンプルを形成すると、摺動部の潤滑を向上させる点では効果的ではあるが、他方の部品との摺接面積が小さくなるとともに表面が硬化するため、摺接面にかかる面圧が大きくなり、他方の部品の表面を摩耗させてしまうという問題があった。
【０００４】
そこで、本発明は、上記課題を解決するためになされたものであり、ＷＰＣ処理によりディンプルを形成した部品に摺接する部品の摩耗を抑制することができる摺動機構、ミシンのルーパ機構及びミシンの針棒駆動機構を提供することを目的とする。
【課題を解決するための手段】
【０００５】
以上の課題を解決するため、請求項１に記載の発明は、第１の機械要素と第２の機械要素を備え、前記第１の機械要素と前記第２の機械要素の相対的動作に伴い、前記第１の機械要素と前記第２の機械要素の動作表面が互いに摺接する摺動機構において、一方の機械要素は、他方の機械要素との摺接面にＷＰＣ処理によりディンプルが形成された後に焼き戻し処理が施されてなることを特徴とする。
ここで、ＷＰＣ処理とは、微小なショット（20μm〜100μm程度）を噴射速度100m/s〜300m/sで摺動部の表面に噴射し、摺動部の表面にディンプル（凹部）を形成するとともに、摺動部の表面を硬化させる処理をいう。
【０００６】
請求項１に記載の発明によれば、第１の機械要素と第２の機械要素のうち、一方の機械要素は、ＷＰＣ処理により表面にディンプルが形成された後に焼き戻し処理が施されてなるので、一方の機械要素は一旦硬化した後に軟化され、靱性を高めることができる。
これにより、グリース等の潤滑剤がディンプルに溜まって第１の機械要素と第２の機械要素の潤滑を高めることができるとともに、一方の機械要素から他方の機械要素への攻撃性が低下するため、他方の機械要素の摩耗を抑制することができる。
【０００７】
請求項２に記載の発明は、縫い針に通された上糸を捕捉するルーパが取り付けられ、所定方向に往復運動するルーパ抱きと、前記ルーパ抱きが前記所定方向に摺動可能に挿通され、前記所定方向に略直交する方向に延びる軸線周りに揺動するルーパ抱きガイドと、を備えるミシンのルーパ機構において、前記ルーパ抱きガイドは、ＷＰＣ処理により前記ルーパ抱きとの摺接面にディンプルが形成された後に焼き戻し処理が施されてなることを特徴とする。
【０００８】
請求項２に記載の発明によれば、ルーパ抱きガイドは、ＷＰＣ処理によりルーパ抱きとの摺接面にディンプルが形成された後に焼き戻し処理が施されてなるので、グリース等の潤滑剤がディンプルに溜まってルーパ抱きとルーパ抱きガイドの潤滑を高めることができる。また、このルーパ抱きガイドには焼き戻し処理が施されているので、ルーパ抱きガイドは一旦硬化した後に軟化され、ルーパ抱きガイドの靱性を高めることができる。
これにより、グリース等の潤滑剤がディンプルに溜まってルーパ抱きとルーパ抱きガイドの潤滑を高めることができるとともに、ルーパ抱きガイドのルーパ抱きへの攻撃性が低下するため、ルーパ抱きの摩耗を抑制することができる。
【０００９】
請求項３に記載の発明は、請求項２に記載のミシンのルーパ機構において、前記ルーパ抱きガイドを揺動可能に摺接保持するルーパ抱きガイド保持部を備え、前記ルーパ抱きガイドは、ＷＰＣ処理により前記ルーパ抱きガイド保持部との摺接面にディンプルが形成された後に焼き戻し処理が施されてなることを特徴とする。
【００１０】
請求項３に記載の発明によれば、ルーパ抱きガイドは、ＷＰＣ処理によりルーパ抱きガイド保持部との摺接面にディンプルが形成された後に焼き戻し処理が施されてなるので、グリース等の潤滑剤がディンプルに溜まってルーパ抱きガイドとルーパ抱きガイド保持部の潤滑を高めることができる。また、このルーパ抱きガイドには焼き戻し処理が施されているので、ルーパ抱きガイドは一旦硬化した後に軟化され、ルーパ抱きガイドの靱性を高めることができる。
これにより、グリース等の潤滑剤がディンプルに溜まってルーパ抱きガイドとルーパ抱きガイド保持部の潤滑を高めることができるとともに、ルーパ抱きガイドのルーパ抱きガイド保持部への攻撃性が低下するため、ルーパ抱きガイド保持部の摩耗を抑制することができる。
【００１１】
請求項４に記載の発明は、縫い針を保持し、ミシンモータの駆動力により上下動する針棒と、前記針棒の上方で当該針棒を上下動可能に摺接保持する上保持部と、を備えるミシンの針棒駆動機構において、前記上保持部は、ＷＰＣ処理により前記針棒との摺接面にディンプルが形成された後に焼き戻し処理が施されてなることを特徴とする。
【００１２】
請求項４に記載の発明によれば、上保持部は、ＷＰＣ処理により針棒との摺接面にディンプルが形成された後に焼き戻し処理が施されてなるので、グリース等の潤滑剤がディンプルに溜まって上保持部と針棒の潤滑を高めることができる。また、この上保持部には焼き戻し処理が施されているので、上保持部は一旦硬化した後に軟化され、上保持部の靱性を高めることができる。
これにより、グリース等の潤滑剤がディンプルに溜まって上保持部と針棒の潤滑を高めることができるとともに、上保持部の針棒への攻撃性が低下するため、針棒の摩耗を抑制することができる。
【００１３】
請求項５に記載の発明は、請求項４に記載のミシンの針棒駆動機構において、前記針棒の下方で当該針棒を上下動可能に摺接保持する下保持部を備え、前記下保持部は、ＷＰＣ処理により前記針棒との摺接面にディンプルが形成された後に焼き戻し処理が施されてなることを特徴とする。
【００１４】
請求項５に記載の発明によれば、下保持部は、ＷＰＣ処理により針棒との摺接面にディンプルが形成された後に焼き戻し処理が施されてなるので、グリース等の潤滑剤がディンプルに溜まって下保持部と針棒の潤滑を高めることができる。また、この下保持部には焼き戻し処理が施されているので、下保持部は一旦硬化した後に軟化され、下保持部の靱性を高めることができる。
これにより、グリース等の潤滑剤がディンプルに溜まって下保持部と針棒の潤滑を高めることができるとともに、下保持部の針棒への攻撃性が低下するため、針棒の摩耗を抑制することができる。
【発明の効果】
【００１５】
請求項１に記載の発明によれば、グリース等の潤滑剤がディンプルに溜まって第１の機械要素と第２の機械要素の潤滑を高めることができるとともに、一方の機械要素から他方の機械要素への攻撃性が低下するため、他方の機械要素の摩耗を抑制することができる。
【００１６】
請求項２に記載の発明によれば、グリース等の潤滑剤がディンプルに溜まってルーパ抱きとルーパ抱きガイドの潤滑を高めることができるとともに、ルーパ抱きガイドのルーパ抱きへの攻撃性が低下するため、ルーパ抱きの摩耗を抑制することができる。
【００１７】
請求項３に記載の発明によれば、グリース等の潤滑剤がディンプルに溜まってルーパ抱きガイドとルーパ抱きガイド保持部の潤滑を高めることができるとともに、ルーパ抱きガイドのルーパ抱きガイド保持部への攻撃性が低下するため、ルーパ抱きガイド保持部の摩耗を抑制することができる。
【００１８】
請求項４に記載の発明によれば、グリース等の潤滑剤がディンプルに溜まって上保持部と針棒の潤滑を高めることができるとともに、上保持部の針棒への攻撃性が低下するため、針棒の摩耗を抑制することができる。
【００１９】
請求項５に記載の発明によれば、グリース等の潤滑剤がディンプルに溜まって下保持部と針棒の潤滑を高めることができるとともに、下保持部の針棒への攻撃性が低下するため、針棒の摩耗を抑制することができる。
【発明を実施するための最良の形態】
【００２０】
以下、図面を参照して、本発明に係る摺動機構、ミシンのルーパ機構及びミシンの針棒駆動機構の最良の形態について詳細に説明する。なお、本実施形態では、摺動機構を有するミシンのルーパ機構及びミシンの針棒駆動機構について説明する。
【００２１】
＜ミシンのルーパ機構＞
図１及び図２に示すように、ミシンのルーパ機構１（以下、ルーパ機構１という）は、ミシンモータからの駆動力が伝達されて揺動する上ルーパ抱き腕駆動軸１１の一端に上ルーパ腕１２がねじ１２ａにより取り付けられ、上ルーパ抱き腕駆動軸１１の揺動とともに上ルーパ腕１２も揺動するようになっている。上ルーパ腕１２は上ルーパ抱き腕駆動軸１１の軸線方向に略直交する方向に延びるように取り付けられており、この上ルーパ腕１２の先端には、固定ピン１２ｂにより上ルーパ抱き１３が取り付けられている。
【００２２】
この上ルーパ抱き１３は、円柱状に形成されるとともにその先端に上ルーパ１０が取り付けられており、上ルーパ抱き１３の軸線方向が上ルーパ抱き腕駆動軸１１及び上ルーパ腕１２の長手方向に略直交するように取り付けられ、上ルーパ腕１２の揺動とともに上ルーパ抱き１３も駆動するようになっている。上ルーパ抱き１３は、当該上ルーパ抱き１３の駆動を案内する上ルーパ抱きガイド１４に挿通されている。上ルーパ抱きガイド１４は、円柱状に形成されており、上ルーパ抱き１３は、その円周面から軸線に対して直交するように挿通されている。この上ルーパ抱きガイド１４は、上ルーパ抱きガイド保持部１５内に円周方向に沿って軸周りに摺動可能な状態で設けられている。
すなわち、ルーパ機構１においては、上ルーパ抱き１３と上ルーパ抱きガイド１４により摺動機構を構成し、さらには、上ルーパ抱きガイド１４と上ルーパ抱きガイド保持部１５とにより摺動機構を構成している。
【００２３】
上ルーパ抱きガイド保持部１５には、前後方向に円形状に貫通された貫通孔１５ａが形成され、上下方向に円形状に貫通された貫通孔１５ｂが形成されている。貫通孔１５ａは、上ルーパ抱きガイド１４の外径よりも若干大きな径を有するように形成され、上ルーパ抱きガイド１４を収容できるようになっている。貫通孔１５ｂは、上ルーパ抱き１３を挿通可能な大きさに形成され、上ルーパ抱き１３が上ルーパ抱きガイド保持部１５の上下方向に移動できるようになっている。上ルーパ抱きガイド保持部１５は、ねじ１６によりミシンフレームＦ（図２参照）に固定されている。また、上ルーパ抱きガイド保持部１５の前面には、上ルーパ抱きガイド蓋１８がねじ１８ａにより取り付けられている。
【００２４】
ここで、上ルーパ抱き１３の外周面及び上ルーパ抱きガイド保持部１５の貫通孔１５ａの内周面には、窒化チタン（ＴｉＮ）皮膜１３ａがコーティングされている。これは、上ルーパ抱き１３の耐摩耗性や耐久性（長寿命化）を図るためである。なお、上ルーパ抱き１３の外周面への皮膜は、窒化チタンに限らず、ＤＬＣ（Diamond Like a Coating）、硫化モリブデン（ＭｏＳ２）、テフロン等をコーティングするものであってもよい。
上ルーパ抱きガイド１４は、低炭素合金鋼に浸炭焼き入れ処理を施した後に焼き戻し処理を施し、さらに、上ルーパ抱き１３及び上ルーパ抱きガイド保持部１５との摺接面にＷＰＣ処理によりディンプルを形成するとともに、再度焼き戻し処理を施すことにより形成されている。
ここで、ＷＰＣ処理は、微小なショット（20μm〜100μm程度）を噴射速度100m/s〜300m/sで上ルーパ抱き１３及び上ルーパ抱きガイド保持部１５との摺接面に噴射し、これらの摺接面にディンプル（凹部）を形成するとともに、摺接面を硬化させる処理である。また、二度目の焼き戻し温度は250℃〜350℃の範囲内で調節する。
【００２５】
＜ルーパ機構の動作＞
次に、ルーパ機構の動作について説明する。
ミシンモータの駆動により上ルーパ抱き腕駆動軸１１を揺動させると、上ルーパ抱き腕駆動軸１１に取り付けられた上ルーパ腕１２の先端は上下方向に揺動する。上ルーパ腕１２の揺動により、上ルーパ腕１２に取り付けられた上ルーパ抱き１３は上下方向に揺動する。このとき、上ルーパ抱き１３は上ルーパ抱きガイド１４に挿通されており、上ルーパ抱き１３は上ルーパ抱きガイド１４に対して摺動する。
ここで、図３に示すように、上ルーパ抱きガイド１４には、ＷＰＣ処理によりディンプル１４ｄが形成されているため、ディンプル１４ｄは上ルーパ抱き１３の窒化チタン被膜１３ａと接触することはなく、上ルーパ抱きガイド１４のうち、ディンプル１４ｄ以外の部分が上ルーパ抱き１３と接触し、摺動面積は小さくなる。
【００２６】
＜実施例＞
図４は、同じ材料、大きさ、形状を有するサンプルを三つ用意し、同じ実験条件で上ルーパ抱きガイド１４に対して上ルーパ抱き１３をそれぞれ同じ回数、同じ時間で摺動させたときの各サンプルのビッカース硬さ（荷重2.94N）を測定した結果を示したものである。また、図５は、図４の結果を棒グラフに示したものである。
【００２７】
サンプル１においては、母材である低炭素合金鋼に浸炭焼き入れ処理及び焼き戻し処理を施した後のビッカース硬さが860.0HVであり、この表面にＷＰＣ処理を施すとビッカース硬さが1034.7HVと硬くなった。さらに、ＷＰＣ処理後に再度焼き戻し処理を施すとビッカース硬さが880.4HVと軟化した。すなわち、ＷＰＣ処理を施すことにより母材を174.7HVだけ硬化させることができ、ＷＰＣ処理により硬化した母材に再度焼き戻し処理を施すことにより、母材を154.3HVだけ軟化させることができる。
【００２８】
サンプル２においては、母材である低炭素合金鋼に浸炭焼き入れ処理及び焼き戻し処理を施した後のビッカース硬さが863.2HVであり、この表面にＷＰＣ処理を施すとビッカース硬さが1064.0HVと硬くなった。さらに、ＷＰＣ処理後に再度焼き戻し処理を施すとビッカース硬さが883.3HVと軟化した。すなわち、ＷＰＣ処理を施すことにより母材を200.8HVだけ硬化させることができ、ＷＰＣ処理により硬化した母材に再度焼き戻し処理を施すことにより、母材を180.7HVだけ軟化させることができる。
【００２９】
サンプル３においては、母材である低炭素合金鋼に浸炭焼き入れ処理及び焼き戻し処理を施した後のビッカース硬さが894.0HVであり、この表面にＷＰＣ処理を施すとビッカース硬さが1060.3HVと硬くなった。さらに、ＷＰＣ処理後に再度焼き戻し処理を施すとビッカース硬さが860.6HVと軟化した。すなわち、ＷＰＣ処理を施すことにより母材を166.3HVだけ硬化させることができ、ＷＰＣ処理により硬化した母材に再度焼き戻し処理を施すことにより、母材を199.7HVだけ軟化させることができる。
【００３０】
これらの結果より、母材にはＷＰＣ処理によるディンプルを形成しつつも、母材の硬さをＷＰＣ処理前の硬さに近い状態に戻すことができる。
【００３１】
＜実施形態の作用効果＞
以上のように、実施形態におけるルーパ機構１によれば、上ルーパ抱きガイド１４は、ＷＰＣ処理により上ルーパ抱き１３との摺接面にディンプル１４ｄが形成された後に焼き戻し処理が施されてなるので、グリース等の潤滑剤がディンプル１４ｄに溜まって上ルーパ抱き１３と上ルーパ抱きガイド１４の潤滑を高めることができる。また、この上ルーパ抱きガイド１４には焼き戻し処理が施されているので、上ルーパ抱きガイド１４は軟化され、上ルーパ抱きガイド１４の靱性を高めることができる。
これにより、グリース等の潤滑剤がディンプル１４ｄに溜まって上ルーパ抱き１３と上ルーパ抱きガイド１４の潤滑を高めることができるとともに、上ルーパ抱きガイド１４の上ルーパ抱き１３への攻撃性が低下するため、上ルーパ抱き１３の摩耗を抑制することができる。
【００３２】
また、上ルーパ抱きガイド１４は、ＷＰＣ処理により上ルーパ抱きガイド保持部１５との摺接面にディンプルが形成された後に焼き戻し処理が施されてなるので、グリース等の潤滑剤がディンプルに溜まって上ルーパ抱きガイド１４と上ルーパ抱きガイド保持部１５の潤滑を高めることができる。また、この上ルーパ抱きガイド１４には焼き戻し処理が施されているので、上ルーパ抱きガイド１４は軟化され、上ルーパ抱きガイド１４の靱性を高めることができる。
これにより、グリース等の潤滑剤がディンプルに溜まって上ルーパ抱きガイド１４と上ルーパ抱きガイド保持部１５の潤滑を高めることができるとともに、上ルーパ抱きガイド１４の上ルーパ抱きガイド保持部１５への攻撃性が低下するため、上ルーパ抱きガイド保持部１５の摩耗を抑制することができる。
【００３３】
＜その他＞
なお、本発明の摺動機構は、ミシンのルーパ機構以外にも適用可能である。例えば、ミシンの針棒駆動機構（以下、針棒駆動機構という。）に適用することも可能である。
具体的に説明すると、図６及び図７に示すように、針棒駆動機構２は、ミシンモータからの駆動力が伝達されて揺動する針棒駆動軸２１を備え、この針棒駆動軸２１の一端に駆動軸メタル２２及び針棒駆動腕２３がねじ２３ａにより取り付けられている。針棒駆動腕２３は、針棒駆動軸２１の軸線方向に略直交する方向に延びるように形成されており、その先端部は二股に形成されている。針棒駆動腕２３における二股に形成された先端部には、ピン２４及び油芯２５が止めねじ２６により取り付けられている。また、針棒駆動腕２３における二股に形成された先端部には、ピン２４及び座金２７により針棒駆動リンク２８の上端部が回動自在に連結されている。針棒駆動リンク２８の下端部には、ピン２９を連結孔３０ａに通すことにより針棒３０が連結されている。
【００３４】
針棒３０の上端部３０ｔには、針棒３０を軸線方向に沿って摺動可能となるように保持する円筒状の針棒上メタル３１が設けられており、その上端部にはキャップねじ３２が螺合されている。
針棒３０の下端部３０ｂには、針棒３０を軸線方向に沿って摺動可能となるように保持する円筒状の針棒下メタル３３が設けられており、その下端部には針留め抱き３４が取り付けられている。この針留め抱き３４には、糸案内３５及び針糸押さえ板３６が針糸押さえばね３７及びねじ３８により取り付けられている。また、針留め抱き３４には、針留め３９がねじ３９ａにより取り付けられており、この針留め３９の下端部には縫い針４０が止めねじ４０ａにより取り付けられている。
すなわち、針棒駆動機構２においては、針棒３０と針棒上メタル３１により摺動機構を構成し、さらには、針棒３０と針棒下メタル３３により摺動機構を構成している。
【００３５】
ここで、針棒３０の外周面には、窒化チタン（ＴｉＮ）皮膜がコーティングされている。これは、針棒３０の耐摩耗性や耐久性（長寿命化）を図るためである。なお、針棒３０の外周面への皮膜は、窒化チタンに限らず、ＤＬＣ（Diamond Like a Coating）、硫化モリブデン（ＭｏＳ２）、テフロン等をコーティングするものであってもよい。
針棒上メタル３１は、低炭素合金鋼に浸炭焼き入れ処理を施した後に焼き戻し処理を施し、さらに、針棒３０との摺接部にＷＰＣ処理によりディンプルを形成するとともに、再度焼き戻し処理を施すことにより形成されている。
針棒下メタル３３は、低炭素合金鋼に浸炭焼き入れ処理を施した後に焼き戻し処理を施し、さらに、針棒３０との摺接部にＷＰＣ処理によりディンプルを形成するとともに、再度焼き戻し処理を施すことにより形成されている。
ここで、ＷＰＣ処理は、微小なショット（20μm〜100μm程度）を噴射速度100m/s〜300m/sで針棒上メタル３１及び針棒下メタル３３の針棒３０との摺接面に噴射し、当該摺接面にディンプル（凹部）を形成するとともに、摺接面を硬化させる処理である。また、二度目の焼き戻し温度は250℃〜350℃の範囲内で調節する。
【００３６】
＜針棒駆動機構の動作＞
次に、針棒駆動機構の動作について説明する。
ミシンモータの駆動により針棒駆動軸２１を揺動させると、針棒駆動軸２１に取り付けられた針棒駆動腕２３の先端は上下方向に揺動する。針棒駆動腕２３の揺動により、針棒駆動腕２３に針棒駆動リンク２８を介して取り付けられた針棒３０はその軸線方向（図６における上下方向）に駆動する。針棒３０が駆動することにより、針棒３０が挿通された針棒上メタル３１及び針棒下メタル３３は針棒３０の外周面と摺接する。
ここで、針棒上メタル３１及び針棒下メタル３３の内周面には、ＷＰＣ処理によりディンプルが形成されているため、ディンプルは針棒３０の外周面と接触することはなく、針棒上メタル３１及び針棒下メタル３３のうち、ディンプル以外の部分が針棒３０と接触し、摺接面積は小さくなる。
【００３７】
以上のように、実施形態における針棒駆動機構２によれば、針棒上メタル３１は、ＷＰＣ処理により針棒３０との摺接面にディンプルが形成された後に焼き戻し処理が施されてなるので、グリース等の潤滑剤がディンプルに溜まって針棒上メタル３１と針棒３０の潤滑を高めることができる。また、この針棒上メタル３１には焼き戻し処理が施されているので、針棒上メタル３１は一旦硬化後に軟化され、針棒上メタル３１の靱性を高めることができる。
これにより、グリース等の潤滑剤がディンプルに溜まって針棒上メタル３１と針棒３０の潤滑を高めることができるとともに、針棒上メタル３１の針棒３０への攻撃性が低下するため、針棒３０の摩耗を抑制することができる。
【００３８】
また、針棒下メタル３３は、ＷＰＣ処理により針棒３０との摺接面にディンプルが形成された後に焼き戻し処理が施されてなるので、グリース等の潤滑剤がディンプルに溜まって針棒下メタル３３と針棒３０の潤滑を高めることができる。また、この針棒下メタル３３には焼き戻し処理が施されているので、針棒下メタル３３は一旦硬化後に軟化され、針棒下メタル３３の靱性を高めることができる。
これにより、グリース等の潤滑剤がディンプルに溜まって針棒下メタル３３と針棒３０の潤滑を高めることができるとともに、針棒下メタル３３の針棒３０への攻撃性が低下するため、針棒３０の摩耗を抑制することができる。
【図面の簡単な説明】
【００３９】
【図１】ルーパ機構の分解斜視図である。
【図２】ルーパ機構の一部を断面視した正面図である。
【図３】上ルーパ抱きと上ルーパ抱きガイドの摺接面の拡大図である。
【図４】実施例の実験結果を示す表である。
【図５】実施例の実験結果を示すグラフである。
【図６】針棒駆動機構の分解斜視図である。
【図７】針棒駆動機構の一部を断面視した正面図である。
【符号の説明】
【００４０】
１  ミシンのルーパ機構（摺動機構）
２  ミシンの針棒駆動機構（摺動機構）
１０  上ルーパ（ルーパ）
１３  上ルーパ抱き（ルーパ抱き）
１４  上ルーパ抱きガイド（ルーパ抱きガイド）
１４ｄ  ディンプル
１５  上ルーパ抱きガイド保持部（ルーパ抱きガイド保持部）
３０  針棒
３１  針棒上メタル（上保持部）
３３  針棒下メタル（下保持部）
【図１】
2006304842.tif 000003
【図２】
2006304842.tif 000004
【図３】
2006304842.tif 000005
【図４】
2006304842.tif 000006
【図５】
2006304842.tif 000007
【図６】
2006304842.tif 000008
【図７】
2006304842.tif 000009